(57)【要約】【課題】画像処理装置において、処理対象画像に関連する履歴管理用の画像を効率的に取得できるようにする。【解決手段】多重解像度符号化処理を実行して、ＬＬ１帯域の符号化データを低周波画像データファイルとして、ＬＨ１帯域、ＨＬ１帯域、ＨＨ１帯域の符号化データを纏めて高周波画像データファイルとして出力する（Ｓ１２０）。帯域別の符号化データの中から、処理対象画像の種別に応じた成分を、履歴用に保存するデータとして選択する（Ｓ１６２）。たとえば、処理対象画像が自然画像である場合には（Ｓ１６３−Nature）、低周波画像データファイルを選択し履歴画像を表わすものとして保存する（Ｓ１６４）。処理対象画像が文字や図形を多く含む画像である場合には（Ｓ１６３−High）、ＬＨ１帯域、ＨＬ１帯域、およびＨＨ１帯域の符号化データを纏めた高周波画像データファイルを選択し履歴画像を表わすものとして保存する（Ｓ１６８）。【選択図】図１０
2008017393.tif 000002
【特許請求の範囲】
【請求項１】
処理対象画像に対して多重解像度変換処理と符号化処理を施す多重解像度符号化処理部と、
前記多重解像度符号化処理部により生成される各解像度レベルの多重解像度符号化データを対応付けて所定の記憶媒体に保存する画像データ記憶部と、
前記画像データ記憶部に保存しておいた各解像度レベルの多重解像度符号化データを読み出して、前記多重解像度符号化処理部での処理に対応する復号化処理と多重解像度変換処理を施す多重解像度復号化処理部と
を備えたことを特徴とする画像処理装置。
【請求項２】
前記多重解像度符号化処理部により生成される各解像度レベルの多重解像度符号化データの各周波数成分の中から、前記処理対象画像に関連する履歴管理用の画像に資するものが何れであるのかを判定する履歴画像データ判定部
をさらに備えたことを特徴とする請求項１に記載の画像処理装置。
【請求項３】
前記多重解像度符号化処理部により生成される各解像度レベルの多重解像度符号化データの各周波数成分の中から、無効にすべきものが何れであるのかを判定する無効化画像データ判定部
をさらに備えたことを特徴とする請求項１または２に記載の画像処理装置。
【請求項４】
処理対象画像に対して多重解像度変換処理と符号化処理を施す多重解像度符号化処理部と、
前記多重解像度符号化処理部により生成される各解像度レベルの多重解像度符号化データの各周波数成分の中から、前記処理対象画像に関連する履歴管理用の画像に資するものが何れであるのかを判定する履歴画像データ判定部と
を備えたことを特徴とする画像管理装置。
【請求項５】
前記履歴画像データ判定部は、前記処理対象画像の周波数成分と関わりを持つ画像種別に基づいて前記判定を実行する
ことを特徴とする請求項４に記載の画像管理装置。
【請求項６】
処理対象画像に対して多重解像度変換処理と符号化処理を施す多重解像度符号化処理部と、
前記多重解像度符号化処理部により生成される各解像度レベルの多重解像度符号化データの各周波数成分の中から、無効にすべきものが何れであるのかを判定する無効化画像データ判定部と
を備えたことを特徴とする画像管理装置。
【請求項７】
前記無効化画像データ判定部は、前記処理対象画像の周波数成分と関わりを持つ画像種別に基づいて前記判定を実行する
ことを特徴とする請求項６に記載の画像管理装置。
【請求項８】
前記多重解像度符号化処理部は、各解像度レベルの多重解像度符号化データの各周波数成分を周波数帯域別で出力する
ことを特徴とする請求項５または７に記載の画像管理装置。
【請求項９】
電子計算機を、
処理対象画像に対して多重解像度変換処理と符号化処理を施すことにより生成される各解像度レベルの多重解像度符号化データの各周波数成分の中から、前記処理対象画像に関連する履歴管理用の画像に資するものが何れであるのかを判定する履歴画像データ判定部と
して機能させることを特徴とするプログラム。
【請求項１０】
電子計算機を、
処理対象画像に対して多重解像度変換処理と符号化処理を施すことにより生成される各解像度レベルの多重解像度符号化データの各周波数成分の中から、無効にすべきものが何れであるのかを判定する無効化画像データ判定部と
して機能させることを特徴とするプログラム。
【発明の詳細な説明】
【技術分野】
【０００１】
本発明は、画像処理装置、画像管理装置、およびプログラムに関する。
【背景技術】
【０００２】
画像処理の分野においては、処理対象画像に関連する別の画像を生成して管理する仕組みが提案されている。
【０００３】
たとえば、特許文献１には、画像に対応して画像よりデータサイズが小さい簡易画像のファイルをメモリに保存し、画像と簡易画像とを関連させる情報を生成する仕組みが開示されている。
【０００４】
また、特許文献２には、複数の原画像データおよび原画像データの各々を圧縮した縮小画像データを取り込み、取り込んだ複数の原画像データを記憶し、少なくとも１つの画像付加データを縮小画像データの各々に関連付けて入力する仕組みが開示されている。
【０００５】
また、特許文献３には、入力された画像データのデータサイズを縮小した縮小画像データを作成し、縮小画像データに関連付けされる識別情報を生成し、少なくとも縮小画像データと識別情報とを記憶媒体に格納する仕組みが開示されている。
【０００６】
【特許文献１】特開２００２−２５２８２５号公報
【特許文献２】特開２００３−０１８５２４号公報
【特許文献３】特開２００５−２１０３５４号公報
【発明の開示】
【発明が解決しようとする課題】
【０００７】
本発明は、画像処理時に処理対象画像を所定の記憶媒体に効率的に保存することのできる仕組みを提供することを第１の目的とする。
【０００８】
本発明は、処理対象画像に関連する履歴管理用の画像を効率的に取得することのできる仕組みを提供することを第２の目的とする。
【０００９】
本発明は、画像処理時に所定の記憶媒体に保存しておいた処理対象画像を効率的に無効にすることのできる仕組みを提供することを第３の目的とする。
【課題を解決するための手段】
【００１０】
請求項１に記載の画像処理装置は、処理対象画像に対して多重解像度変換処理と符号化処理を施す多重解像度符号化処理部と、多重解像度符号化処理部により生成される各解像度レベルの多重解像度符号化データを対応付けて所定の記憶媒体に保存する画像データ記憶部と、画像データ記憶部に保存しておいた各解像度レベルの多重解像度符号化データを読み出して、多重解像度符号化処理部での処理に対応する復号化処理と多重解像度変換処理を施す多重解像度復号化処理部とを備えたことを特徴とする。
【００１１】
請求項２に記載の画像処理装置は、多重解像度符号化処理部により生成される各解像度レベルの多重解像度符号化データの各周波数成分の中から、処理対象画像に関連する履歴管理用の画像に資するものが何れであるのかを判定する履歴画像データ判定部をさらに備えたことを特徴とする。
【００１２】
請求項３に記載の画像処理装置は、多重解像度符号化処理部により生成される各解像度レベルの多重解像度符号化データの各周波数成分の中から、無効にすべきものが何れであるのかを判定する無効化画像データ判定部をさらに備えたことを特徴とする。
【００１３】
請求項４に記載の画像管理装置は、処理対象画像に対して多重解像度変換処理と符号化処理を施す多重解像度符号化処理部と、多重解像度符号化処理部により生成される各解像度レベルの多重解像度符号化データの各周波数成分の中から、処理対象画像に関連する履歴管理用の画像に資するものが何れであるのかを判定する履歴画像データ判定部とを備えたことを特徴とする。
【００１４】
請求項５に記載の画像管理装置は、履歴画像データ判定部は、処理対象画像の周波数成分と関わりを持つ画像種別に基づいて前記判定を実行することを特徴とする。
【００１５】
請求項６に記載の画像管理装置は、処理対象画像に対して多重解像度変換処理と符号化処理を施す多重解像度符号化処理部と、多重解像度符号化処理部により生成される各解像度レベルの多重解像度符号化データの各周波数成分の中から、無効にすべきものが何れであるのかを判定する無効化画像データ判定部とを備えたことを特徴とする。
【００１６】
請求項７に記載の画像管理装置は、無効化画像データ判定部は、処理対象画像の周波数成分と関わりを持つ画像種別に基づいて前記判定を実行することを特徴とする。
【００１７】
請求項８に記載の画像管理装置は、多重解像度符号化処理部は、各解像度レベルの多重解像度符号化データの各周波数成分を周波数帯域別で出力することを特徴とする。
【００１８】
請求項９に記載のプログラムは、電子計算機を、処理対象画像に対して多重解像度変換処理と符号化処理を施すことにより生成される各解像度レベルの多重解像度符号化データの各周波数成分の中から、処理対象画像に関連する履歴管理用の画像に資するものが何れであるのかを判定する履歴画像データ判定部として機能させることを特徴とする。
【００１９】
請求項１０に記載のプログラムは、電子計算機を、処理対象画像に対して多重解像度変換処理と符号化処理を施すことにより生成される各解像度レベルの多重解像度符号化データの各周波数成分の中から、無効にすべきものが何れであるのかを判定する無効化画像データ判定部として機能させることを特徴とする。
【発明の効果】
【００２０】
請求項１に記載の発明によれば、本構成を有していない場合に比べて、処理対象画像を記憶媒体に効率的に保存することができる画像処理装置を実現できる。
【００２１】
請求項２に記載の発明によれば、処理対象画像に関連する履歴管理用の画像を別途作成しなくても、多重解像度符号化処理で得られる各周波数成分の何れかを履歴管理用の画像を表わすものとして選択できる。よって、履歴管理用の画像を別途作成する場合に比べて、処理負荷を軽減することができる。
【００２２】
請求項３に記載の発明によれば、多重解像度符号化処理で得られる各周波数成分の何れかを選択して無効にすることができ、無効化処理の負荷を軽減することができる。
【００２３】
請求項４に記載の発明によれば、履歴管理用の画像を別途作成する場合に比べて処理負荷を軽減することができる画像管理装置を実現できる。
【００２４】
請求項５に記載の発明によれば、処理対象画像に含まれる周波数成分に適した成分を履歴管理用の画像を表わすものとして選択できる。
【００２５】
請求項６に記載の発明によれば、無効化処理の負荷を軽減することができる画像管理装置を実現できる。
【００２６】
請求項７に記載の発明によれば、処理対象画像に含まれる周波数成分に適した成分を優先的に無効にすることができる。
【００２７】
請求項８に記載の発明によれば、周波数帯域別で出力されたものの内、必要なもののみを選択して、歴管理用の画像を表わすものとすることや、無効化の対象とすることができ、全ての成分を１つに纏めて出力される場合よりも、処理効率を高めることができる。
【００２８】
請求項９に記載の発明によれば、履歴管理用の画像を別途作成する場合に比べて処理負荷を軽減することができる仕組みを、コンピュータを用いて実現できる。
【００２９】
請求項１０に記載の発明によれば、無効化処理の負荷を軽減することができる仕組みを、コンピュータを用いて実現できる。
【発明を実施するための最良の形態】
【００３０】
以下、図面を参照して本発明の実施形態について詳細に説明する。
【００３１】
＜画像情報処理システムの概要＞
図１は、画像情報処理システムの全体概要を示す図である。図示のように、本実施形態の画像情報処理システム１は、プリントデータや読取画像データやＦＡＸ受信画像データなどの画像データで示される処理対象のページ画像（文書画像とも称される）に基づく出力画像を形成する画像処理装置としての画像形成装置３と、画像形成装置３が取り扱う画像の操作履歴を管理する画像管理装置の機能をなす画像管理サーバ５とが、ネットワーク９により接続されて構成されている。
【００３２】
詳細は後述するが、画像形成装置３は、クライアント端末として機能するものであって、画像管理装置の機能の全てまたは一部を具備するように構成することもできる。
【００３３】
本実施形態の画像形成装置３は、出力画像を出力媒体８上に形成する際に、処理過程で多重解像度符号化処理を実行し、また、その多重解像度符号化処理で生成される複数段階の解像度レベルの情報のうち、画像の特徴を優位に表わし得る所定の解像度レベルの情報を、イメージログ保存用のログ画像符号化データＤILとして、自身の画像データ蓄積部または画像管理サーバ５に提供し得る機能を備えている。
【００３４】
なお、図では、画像形成装置３として３台（それぞれに参照子３_1，３_2，３_3）が備えられている構成例で示しているが、その数は任意である。同様に、画像管理サーバ５として１台が備えられている構成例で示しているが、その数は任意である。
【００３５】
また、画像管理サーバ５を備えずに、画像形成装置３が画像管理サーバ５の機能を持つように構成することもできる。
【００３６】
画像管理サーバ５は、クライアント端末としての画像形成装置３に入力される画像データや画像形成装置３から出力される画像データ、イメージログに関する管理情報や、画像データの検索キーなどを所定の不揮発性の記憶媒体に蓄積し管理する。
【００３７】
画像管理サーバ５は、画像形成装置３が画像形成処理を実行する際に、画像形成装置３における画像形成処理時のページ画像の操作履歴を管理するためのイメージログを示すログ画像符号化データＤILおよび各画像形成装置３を特定する装置識別情報ＤIDを画像形成装置３から受け取り、受け取った画像識別情報ＧIDおよびログ画像符号化データＤILを、対応付けて所定の不揮発性の記憶媒体に保存する。
【００３８】
つまり、画像管理サーバ５は、画像形成装置３が取り扱う各画像、画像形成装置３が取り扱う各画像に対応した履歴管理用のイメージログ、およびイメージログに関する管理情報、画像データの検索キーを関連付けてデータベースDBとして登録する。
【００３９】
これらデータベースDBに登録された各情報は、イメージログを利用した履歴検索に利用される。つまり、画像情報処理システム１は、各画像形成装置３に入出力される総ての画像データに関連する履歴管理用の画像としてのイメージログをデータベースDBに蓄積しておき、必要に応じて、蓄積されたイメージログを検索して出力することができるようになっている。
【００４０】
なお、“揮発性の記憶媒体”とは、装置の電源がオフされた場合には、記憶内容を消滅してしまう形態の記憶媒体を意味する。一方、“不揮発性の記憶媒体”とは、装置のメイン電源がオフされた場合でも、記憶内容を保持し続ける形態の記憶媒体を意味する。記憶内容を保持し続けることができるものであればよく、半導体製のメモリ素子自体が不揮発性を有するものに限らず、バックアップ電源を備えることで、揮発性のメモリ素子を“不揮発性”を呈するように構成するものであってもよい。
【００４１】
＜＜第１実施形態＞＞
＜画像形成装置の構成例＞
図２は、画像管理装置を具備してなる画像形成装置３の第１実施形態の構成例を示す機能ブロック図である。各機能部は、画像データやその他の処理データや制御データなどが伝送されるバスで接続されるようになっている。
【００４２】
本実施形態の画像管理装置７は、画像形成装置３での画像処理過程で画像データを一時記憶するための符号化手段として利用される多重解像度符号化処理で生成される複数段階の解像度レベルの情報、つまり「多重解像度」表現の画像情報のうち、所定の解像度レベルの情報を、イメージログ保存用のログ画像符号化データＤILとして取り扱うようになっている。ここで、「多重解像度表現」とは、１枚の画像を複数の解像度を有する画像成分の重ね合せにより階層的に表現することを意味している。
【００４３】
たとえば、第１実施形態の画像形成装置３は、処理対象画像を取り込む画像取得部１０と、処理対象の画像データをサブバンド符号化などを利用した多重解像度変換処理を行なうことで処理対象の画像データを複数段階の解像度レベルの情報に分割するとともに、多重解像度変換処理により得た変換係数信号を量子化しさらに符号化して符号化データを得る（纏めて多重解像度符号化処理を施すとも称する）多重解像度符号化処理部１２と、多重解像度符号化処理部１２により生成される複数段階の解像度レベルの情報の集合でなる符号化データを所定の記憶媒体に一時的に記憶蓄積する画像データ一時記憶部１４とを備える。
【００４４】
画像取得部１０は、たとえば、画像読取手段としてのスキャナ装置とその制御手段、磁気ディスクやメモリカードなどのリード兼ライト装置とその制御手段、ネットワーク９などを介してプリントデータやＦＡＸデータの授受を行なうデータ転送手段、あるいは応用ソフトウェア（実行化ソフトウェアやアプリケーションソフトウェアなどとも称される）で作成した文書ファイルをビットマップ画像に描画（ラスタライズ）する手段などからなる画像データ入力手段の一例である。
【００４５】
ここで、応用ソフトウェアとは、文書作成や、数値計算や、製図など、ある特定の目的のために設計されたソフトウェアを意味する。たとえば、画像形成装置３における画像形成処理に供されるページ画像を生成し得る応用ソフトウェアには、ワードプロセッサ用のワープロソフト、表計算ソフト、画像編集ソフト、製図ソフト、データベースソフト、プレゼンテーションソフト、ウェブ（Ｗｅｂ）ブラウザ、電子メールソフトなどがある。
【００４６】
多重解像度符号化処理部１２は、複数段階の解像度レベルの情報（つまり符号化データ）の各周波数成分を、処理対象画像の周波数成分と関わりを持つ画像種別に対応する所定の周波数帯域別で独立した画像ファイル（符号化ファイルとも称する）として出力可能な構成のものとしてもよいし、複数段階の解像度レベルの各周波数成分を纏めて１つの画像ファイルとして出力可能な構成のものとしてもよい。
【００４７】
なお、多重解像度符号化処理部１２では、たとえばウェーブレット変換処理を用いた多重解像度変換処理によって周波数領域で取り扱うことのできるウェーブレット変換係数信号を量子化し、さらに所定の符号化ルールにしたがって符号化して符号化データを得るが、その際の符号化ルールとしては、エントロピー符号化方式など可逆符号化方式を用いてもよいし、圧縮率を高めるため（たとえば1/2〜1/20 程度にするため）、公知の種々の手法を採用した非可逆符号化方式を用いてもよい。
【００４８】
画像データ一時記憶部１４は、たとえば、電子データ記憶媒体としての磁気ディスクやメモリカードなどに画像データを記録したり記録された画像データを読み出したりするリード兼ライト装置とその制御手段で構成され、多重解像度符号化処理部１２により生成された入出力処理の対象となる画像に対応する符号化データを一時的に記憶蓄積する画像データ一時記憶手段として機能するものである。
【００４９】
また、画像形成装置３は、多重解像度符号化処理部１２による多重解像度符号化処理で生成される複数段階の解像度レベルの情報のうち処理対象画像の概要を認識し得る所定の解像度レベルの情報をイメージログ保存用のログ画像符号化データＤILとして保存するログ画像データ蓄積部３０と、画像を出力媒体８に出力する画像データ出力部４４とを備えている。
【００５０】
なお、ログ画像データ蓄積部３０は、たとえば、電子データ記憶媒体としての磁気ディスクやメモリカードなどに画像データを記録したり記録された画像データを読み出したりするリード兼ライト装置とその制御手段で構成され、多重解像度符号化処理部１２により生成された複数段階の解像度レベルの情報の中からイメージログ保存用のログ画像符号化データＤILを抽出して記憶蓄積するログ画像データ記憶手段として機能するものである。
【００５１】
なお、ログ画像符号化データＤILを記憶するための記憶媒体そのものは画像形成装置３に備えている必要はなく、たとえば記憶媒体そのものは画像形成装置５に備えて、画像データの蓄積や読出しの制御を実行する機能部分のみを画像形成装置３側に備えていてもよい。
【００５２】
ログ画像データ蓄積部３０は、画像データの入出力処理のために、画像データを画像データ一時記憶部１４に一時記憶蓄積する過程で多重解像度符号化処理部１２により生成される複数段階の解像度レベルの情報の何れかを選択して、選択した所定解像度レベルの情報を、そのままログ画像符号化データＤILとして保存する点に大きな特徴を有する。
【００５３】
たとえば、ログ画像データ蓄積部３０は、複数段階の解像度レベルの情報（つまり符号化データ）の各周波数成分の何れを、処理対象画像の概要を認識し得る解像度レベルの情報（すなわち履歴管理用の画像に資するもの）とすべきかを、処理対象画像の周波数成分と関わりを持つ画像種別に基づいて判定する履歴画像データ判定部３２を有している。
【００５４】
たとえば、一般的な画像種の傾向として、自然画像であれば比較的低周波の成分の情報量が多く、その情報が主要な情報となると予想される。また、文字や図形を多く含む画像であれば、エッジに重要な情報が現われるので、比較的高周波の成分や、低周波と高周波の間の中間周波数の成分の情報量が多く、その情報が主要な情報となると予想される。また、これら情報量が多い成分を持つ解像度レベルのものから処理対象画像の概要を認識することができ、履歴管理用の画像として使えることが予想される。
【００５５】
そこで履歴画像データ判定部３２は、多重解像度符号化処理部１２により生成された複数段階の解像度レベルの情報のうち、最も情報量の多い画像データあるいは所定の情報量よりも多い画像データを含む解像度レベルのものを、イメージログ用のものとして選択し、これを、ログ画像符号化データＤILとして、ログ画像データ蓄積部３０に渡す。
【００５６】
ログ画像データ蓄積部３０は、画像種に応じて履歴画像データ判定部３２により選択された処理対象画像の概要を認識し得る解像度レベルのログ画像符号化データＤILを示す画像ファイルを、ユーザ名、日付などの属性情報と関連付けて入出力履歴として保存する。
【００５７】
画像データ出力部４４は、たとえば、出力媒体８としての磁気ディスクやメモリカードなどの電子データ記憶媒体にデータを記録したり記録されたデータを読み出したりするリード兼ライト装置とその制御手段、またはネットワーク９を介して接続された他の記憶媒体との間で画像データの記録・蓄積の授受を行なうネットワークストレージ手段などからなる。
【００５８】
また、画像形成装置３は、多重解像度符号化処理がなされた複数段階の解像度レベルの情報を元にして所定の解像度レベルの画像を復元したり、ログ画像符号化データＤILを元にして履歴管理用のイメージログを復元したりする多重解像度復号化処理部５２を備えている。
【００５９】
多重解像度復号化処理部５２は、画像データ一時記憶部１４に保存しておいた各解像度レベルの多重解像度符号化データを読み出して、多重解像度符号化処理部１２での処理に対応する復号化処理と多重解像度変換処理を施す。
【００６０】
たとえば、多重解像度復号化処理部５２は、多重解像度変換処理で得られる各解像度レベルの情報を利用目的に応じて使い分けることで、たとえば、最高レベルの解像度まで復号化したときは比較的高解像度の原画像（高解像度画像）を得ることができるし、１／２解像度レベルまで復号化したときは、原画像よりも１／２解像度の標準解像度の画像（標準解像度画像）を得ることができるなど、任意の解像度レベルの画像を得るすなわち画像を任意に拡大・縮小して再現することができる。
【００６１】
また、多重解像度復号化処理部５２は、多重解像度符号化処理部１２で生成された複数段階の解像度レベルの情報の中から選択されてログ画像データ蓄積部３０に保存されていたイメージログ保存用のログ画像符号化データＤILを復号することで、履歴管理用のイメージログを復元する。
【００６２】
本実施形態の画像形成装置３においては、多重解像度符号化処理部１２と多重解像度復号化処理部５２とで、多重解像度変換処理部６０が構成されるようになっている。
【００６３】
また、本実施形態の画像形成装置３においては、ログ画像データ蓄積部３０と多重解像度変換処理部６０とにより、画像管理装置７が構成されるようになっている。
【００６４】
＜多重解像度処理：第１例＞
図３〜図７は、本実施形態において取り扱う多重解像度符号化処理および多重解像度復号処理（纏めて多重解像度処理と称する）の第１例を説明する図である。ここで、図３は、多重解像度処理の第１例を実施する多重解像度符号化処理部１２の詳細構成例を示す機能ブロック図であり、図４は、各ウェーブレット部１２ａの詳細構成例を示した機能ブロック図である。
【００６５】
また、図５は、原画像信号（解像度レベル０とする）をウェーブレット変換して各周波数成分に分解した結果を示す図である。なお、図５は、１回目の２次元ウェーブレット変換を行ない（Ａ）、その後２回目の２次元ウェーブレット変換を行ない、さらにその後３回目の２次元ウェーブレット変換を行なった状態まで（Ｃ）を表している。
【００６６】
また、図６は、多重解像度処理の第１例を実施する多重解像度復号化処理部５２の詳細構成例を示す機能ブロック図であり、図７は、各逆ウェーブレット変換部５２ａの詳細構成例を示した機能ブロック図である。
【００６７】
画像データの高能率な画像符号化（保存）方式として、多重解像度符号化方式が知られている。本実施形態では、画像形成装置３における画像形成処理時に、画像データを一時的に画像データ一時記憶部１４に保存する際に、この多重解像度符号化方式を利用する。
【００６８】
ここで、多重解像度符号化方式は、たとえば、画像データに対して多重解像度変換処理を施して、画像データに対してそれぞれが（１／２）＾ｐ倍の解像度で、また画像サイズが（１／２）＾２ｐ倍（ｐは整数、“＾”はべき乗を示す）となる関係を有する画像を表す階層（解像度レベル）ごとのデータ（階層データ）を得た後、この各階層データを符号化し圧縮して冗長度圧縮された符号化データを得、この符号化データを保存する形式のものである。
【００６９】
この多重解像度変換処理に該当するものとしては、たとえば、ＪＰＥＧ（Joint Photographic Experts Group）２０００やＭＰＥＧ（Moving Picture Experts Group）−４の静止画像用符号化モード（TextureCodingMode ）などに利用されるウェーブレット変換処理や、ラプラシアンピラミッド展開を利用するもの、あるいはガウシアンピラミッド展開を利用するものなどが知られている。
【００７０】
多重解像度符号化に際しては、たとえばサブバンド符号化（SubbandCoding ）が利用される。ここで、サブバンド符号化方式は、広義には、『ある周波数帯域をもった入力信号を複数の帯域に分割して符号化する方式』であり、本実施形態でも、この広義の意味で使用する。
【００７１】
この定義に従えば『ある周波数帯域をもった入力信号をコサイン変換係数というカタチで複数の帯域に分割して符号化する方式』であるＤＣＴ（Discrete Cosine Transform ：離散コサイン変換）符号化をはじめとする変換符号化もサブバンド符号化の一種であるといえるが、一般にいわれるサブバンド符号化とは『ある周波数帯域をもった入力信号を帯域通過フィルタにより高低２つの帯域（サブバンド）に分割し、低域側の帯域を再帰的に帯域分割して符号化する方式』を指す。
【００７２】
サブバンド符号化の基本的な考え方は、変換符号化と同様、高域成分ほど感度が鈍いという人間の視覚特性を利用し、高域成分の符号量を削減することで符号化効率を向上させというものである。
【００７３】
サブバンド符号化の特徴としては、階層符号化などの多重解像度符号化を実現し易いという点が挙げられる。符号化方式そのものが階層的に行なわれ、多重解像度に対応した符号の生成が他の方式に比べて容易なためである。
【００７４】
本実施形態での多重解像度符号化に際しては、一例として、『ウェーブレット変換による帯域分割フィルタを用いたサブバンド符号化』を適用することにする。
【００７５】
ここで、多重解像度符号化処理の第１例においては、基本的なサブバンド符号化の実現方法として、画像ファイル全体を一括して帯域分割フィルタにかけて元の画像ファイルのサブバンド画像を作成し、その中の低域サブバンド画像ファイルに対して再帰的に帯域分割フィルタにかけてサブバンド画像を作成していき、所定の階層低域サブバンド画像ができたら、サブサンプリングおよび量子化を行なって冗長成分を削除し、符号化ファイルとしてサブバンド画像を出力するという手法を採る。
【００７６】
先ず、多重解像度符号化処理部１２における多重解像度変換処理について説明する。図３および図４に示すように、多重解像度符号化処理部１２は、解像度レベルに応じた段数分のウェーブレット変換部１２ａを有する。なお、多重解像度符号化処理部１２と対応する多重解像度復号化処理部５２は、ウェーブレット変換部１２ａの総段数分と同じ段数分の逆ウェーブレット変換部５２ａを有する。また本実施形態においては、ウェーブレット変換の各係数が直交する、２次元の直交ウェーブレット変換を行なうものとする。
【００７７】
入力された処理対象画像を表す画像信号Ｓ１が多重解像度符号化処理部１２に入力されると、画像信号Ｓ１を原画像信号Ｓｏとして、原画像信号Ｓｏに対してウェーブレット変換が施される。すなわち、原画像信号Ｓｏ（比較的高解像度のＨＱ画像を表す信号ＬＬ０と等価）の主走査方向に基本ウェーブレット関数Ｈ０，Ｇ０によりフィルタリング処理を行なうとともに、主走査方向の画素を１画素おきに間引き（図中↓２で表す）、主走査方向の画素数を１／２にする。ここで、関数Ｈ０はハイパスフィルタであり、関数Ｇ０はローパスフィルタである。
【００７８】
さらに、この画素が間引かれた信号のそれぞれに対して副走査方向に関数Ｈ０，Ｇ０によりフィルタリング処理を行なうとともに、副走査方向の画素を１画素おきに間引き、副走査方向の画素数を１／２にすることで、図５（Ａ），（Ｂ）に示すように、解像度レベル１のウェーブレット変換係数信号ＨＨ１，ＨＬ１，ＬＨ１，ＬＬ１を得る。
【００７９】
ここで、信号ＬＬ１は原画像の縦横を各々１／２に縮小した１／４縮小画像を表し、それぞれＨＱ画像の１／４縮小画像において、信号ＬＨ１は副走査方向（縦方向）の高周波成分（横エッジ）を表す画像、信号ＨＬ１は主走査方向（横方向）の高周波成分（縦エッジ）を表す画像、信号ＨＨ１は対角方向の高周波成分（斜めエッジ）を表す画像、信号ＬＬ１は原画像である高解像度画像に対して１／２解像度の低周波成分の画像である標準解像度画像を表すことになる。
【００８０】
引き続き、ウェーブレット変換手段１２ａにおいて、基本ウェーブレット関数Ｈ０，Ｇ０を用いて、信号ＬＬ１に対してウェーブレット変換を施すことで、図５（Ａ），（Ｃ）に示すように、信号ＨＨ２，ＨＬ２，ＬＨ２，ＬＬ２が得られる。ここで、信号ＬＬ２は原画像の縦横を各々１／４に縮小した１／１６縮小画像を表し、それぞれ原画像の１／１６縮小画像において、信号ＨＬ２、ＬＨ２およびＨＨ２は、同様にして、縦エッジ、横エッジ、あるいは斜めエッジ成分の画像を表すものとなる。
【００８１】
以下、２段目と同様にして、各周波数帯域において得られるウェーブレット変換係数信号ＬＬｋに対するウェーブレット変換をｎ回繰り返すことによりウェーブレット変換係数信号ＨＨ１〜ＨＨｎ，ＨＬ１〜ＨＬｎ，ＬＨ１〜ＬＨｎ，ＬＬ１〜ＬＬｎ（代表してＢｋと記す）を得ることができる。
【００８２】
ここで、ｎ回目のウェーブレット変換により得られるウェーブレット変換係数信号ＨＨｎ，ＨＬｎ，ＬＨｎ，ＬＬｎは、原画像信号Ｓｏと比較して主副各方向の画素数が（１／２）＾ｎとなった（１／２）＾２ｎ縮小画像を表し、各ウェーブレット変換係数信号ＨＨｎ，ＨＬｎ，ＬＨｎ，ＬＬｎはｎが大きいほど周波数帯域が低くなる。このように、ウェーブレット変換係数信号ＨＨｋ，ＨＬｋ，ＬＨｋ，ＬＬｋ（ｋは解像度レベルであって、ｋ＝１〜ｎの正の整数、Ｋが大きいほど解像度レベルは低下する）は、それぞれ、原画像信号Ｓｏの周波数範囲のうちの所定範囲の周波数成分の帯域制限画像信号となる。
【００８３】
また、信号ＨＨｋは原画像信号Ｓｏの主副両方向の周波数の変化を表しｋが大きいほど低周波信号となる。また信号ＨＬｋは原画像信号Ｓｏの主走査方向の周波数の変化を表すものであり、ｋが大きいほど低周波信号となる。さらに信号ＬＨｋは原画像信号Ｓｏの副走査方向の周波数の変化を表すものであり、ｋが大きいほど低周波信号となる。
【００８４】
次に、多重解像度復号化処理部５２における多重解像度復元処理について説明する。多重解像度復号化処理部５２は、画像データ一時記憶部１４に保存しておいた符号化データＤＡに基づき、多重解像度符号化処理部１２における処理に対応した復号化処理および逆量子化処理を施すことで、係数信号ＬＬｎ、ＨＬｋ，ＬＨｋ，ＨＨｋを復元する。その後、各係数信号ＬＬｎ、ＨＬｋ，ＬＨｋ，ＨＨｋを、最低解像度レベルｎから元の解像度レベル（高解像度画像の解像度レベル０）まで、順次逆ウェーブレット変換を施す。
【００８５】
具体的には、図６および図７に示すように、多重解像度復号化処理部５２は、先ず、最低周波数帯域の信号ＨＨｎ，ＨＬｎ，ＬＨｎ，ＬＬｎに対して逆ウェーブレット変換部５２ａにおいて逆ウェーブレット変換を施して信号ＬＬｎ−１を得る。
【００８６】
逆ウェーブレット変換に際しては、図７に示すように、先ず、信号ＬＬｎおよび信号ＬＨｎ（ＬＨｋ）の副走査方向に対して画素間に１画素分の間隔をあける処理を行なうとともに（図中↑２で表す）、ウェーブレット変換の際に用いた関数Ｇ０，Ｈ０に対応する逆ウェーブレット変換関数Ｇ０’，Ｈ０’によりフィルタリング処理を副走査方向に施してこれらを加算し、さらに加算により得られた信号（第１の加算信号とする）の主走査方向に対して画素間に１画素分の間隔をあける処理を行なうとともに、関数Ｇ０’によりフィルタリング処理を主走査方向に施して第１の信号を得る。
【００８７】
一方、信号ＨＬｎ（ＨＬｋ）および信号ＨＨｎ（ＨＨｋ）の副走査方向に対して画素間に１画素分の間隔をあける処理を行なうとともに、関数Ｇ０’，Ｈ０’によりフィルタリング処理を副走査方向に施してこれらを加算し、さらに加算により得られた信号（第２の加算信号とする）の主走査方向に対して画素間に１画素分の間隔をあける処理を行なうとともに、関数Ｈ１’によりフィルタリング処理を主走査方向に施して第２の信号を得る。そして第１および第２の信号を加算して信号ＬＬｎ−１（ＬＬｋ−１）を得る。
【００８８】
次に、信号ＨＨｎ−１，ＨＬｎ−１，ＬＨｎ−１，ＬＬｎ−１に対して、同様にして逆ウェーブレット変換部５２ａにおいて逆ウェーブレット変換を行なって、信号ＬＬｎ−２を得る。さらに同様にして、逆ウェーブレット変換を解像度レベル０まで繰り返すことにより高解像度画像と同じ解像度レベルの復元画像を表す信号ＬＬ０を得る。
【００８９】
このようにして復元された画像信号ＬＬ０は、画像データ出力部４４に渡され画像形成処理に供される。なお、途中の解像度レベルまで復元した信号ＬＬｋを画像データ出力部４４に渡すと、縮小画像を出力することもできる。このように、ウェーブレット変換を用いた多重解像度変換を利用すると、縮小画像を得るのにも都合がよい。
【００９０】
＜多重解像度処理：第２例＞
図８および図９は、本実施形態において取り扱う多重解像度処理の第２例を説明する図である。ここで、図８は、第２例の多重解像度処理において取り扱う画像の切出し手法を説明する図であり、図９は、第２例の多重解像度処理において取り扱う最小ブロックサイズを説明する図である。なお、図９は、３階層までの帯域分割を行なった場合の最小ブロックサイズを示している。
【００９１】
第１例の多重解像度処理では、画像ファイル全体を取り込むためや、サブバンド画像を一時的に貯えておくために、十分なバッファを確保する必要があり、スキャン画像のような大きなサイズの画像ファイルを扱うことを考えると難点がある。
【００９２】
第２例の多重解像度処理は、この問題点を解消し得る手法であり、ＤＣＴ符号化などと同様に、ブロック単位で帯域分割フィルタをかけて符号化や復号化を行なう点に特徴を有する。
【００９３】
先ず、図８に示すように、処理対象画像について、所定の画素数のブロックで切り出し、そのブロックから縦２画素および横２画素（２×２画素と記す）を取り出す。そして、この２×２画素を、離散ウェーブレット変換フィルタにより、平面の各軸を低域と高域に２分割することで、全体で４分割する。
【００９４】
離散ウェーブレット変換フィルタとしては、式（１）で定義されるHaar基底を用いたものや、Daubechies基底を用いたものなど、公知のものを使用することができる。本例では、Haar基底を用いることにする。
【００９５】
【数１】
2008017393.tif 000003
【００９６】
次に、式（１）に基づくHaar基底の定義の２次元に適用したものを展開し、図８でブロックから取り出した画素Ａ，Ｂ，Ｃ，Ｄに適用すると、式（２）に示すように、ＬＬ帯域、ＬＨ帯域、ＨＬ帯域、ＨＨ帯域といった、４種類の帯域成分を取得することができる。
【００９７】
【数２】
2008017393.tif 000004
【００９８】
多重解像度符号化処理部１２は、こうして得られたサブバンド画像の画素値を、各帯域のバッファ（図２では図示を割愛している）に振り分ける。
【００９９】
多重解像度符号化処理部１２は、このような処理を、ブロック内の全画素に対して行なう。
【０１００】
なお、２×２画素を取り出す際、処理する画素が重複しないようにすると、フィルタ処理によって得られるＬＬ帯域、ＬＨ帯域、ＨＬ帯域、ＨＨ帯域の各画像は、縦横ともに２：１でサブサンプリングされたのと等価になる。本例でも、処理画素が重複しないように取り出して、独立したサブサンプリング処理を行なわないようにする。
【０１０１】
次に、多重解像度符号化処理部１２は、ＬＬ帯域のサブバンド画像について、前述と同様の処理を再帰的に行なう。その再帰回数によって、最小ブロックサイズが決定されることになる。
【０１０２】
たとえば、図９に示すように、３階層までの帯域分割を行なうと、画像ファイルから切り出すブロックのサイズは、最小で、８×８画素となる。再帰的な帯域分割の階層が深くなればなるほど最小ブロックサイズが大きくなる。たとえば、８階層までの帯域分割を行なうと、最小ブロックサイズは２５６×２５６画素となる。
【０１０３】
多重解像度符号化処理部１２は、このような処理を、画像ファイル内の全画素に対して行なう。
【０１０４】
多重解像度符号化処理部１２は、以上の処理が終了して得られた各階層のサブバンド画像を量子化し、符号化して、符号ファイルに書き出す。この際、各階層のサブバンド画像を１つに纏めて書き出せば、多重解像度に対応した１つの符号化ファイルを作成することができる。もちろん、各階層別に符号ファイルを作成してもよい。
【０１０５】
多重解像度符号化処理部１２に対応する多重解像度復号化処理部５２の復号化処理については、詳細な説明を割愛するが、ブロック単位で帯域分割フィルタをかけて復号化を行なえばよい。
【０１０６】
このように、第２例の多重解像度処理では、ブロック単位で帯域分割フィルタをかけて符号化や復号化を行なうようにしたので、符号化処理および復号化処理の最小単位が小さくなり、処理に必要なリソースを抑えることができる。また、現在、最も一般的に用いられているＤＣＴ符号化などのブロック符号化との性能評価を直接的に行なうことが可能となり、より正確な評価を行なうことができる利点もある。
【０１０７】
＜処理手順＞
図１０は、第１実施形態の画像形成装置３における画像管理処理手順の一例を示すフローチャートである。
【０１０８】
画像取得部１０は、たとえば、スキャナ装置や、磁気ディスクやメモリカードなどの画像データ記憶媒体や、ネットワーク９などを利用して、画像形成処理の対象とする入力画像を取り込み多重解像度符号化処理部１２に渡す（Ｓ１１０）。
【０１０９】
たとえば、画像形成装置３において、複写機能を実現する際には、画像取得部１０は原稿を読み取ることで画像データを取得する。また、画像形成装置３において、印刷機能を実現する際には、画像取得部１０は、パーソナルコンピュータなどで所定のアプリケーションソフトウェアで作成され印刷指示された印刷ファイルに基づいてビットマップ画像に描画展開して画像データを取得する。
【０１１０】
多重解像度符号化処理部１２は、多重解像度符号化処理を実行して、各解像度レベルの符号化データを生成する（Ｓ１２０）。たとえば、多重解像度符号化処理部１２は、各解像度レベルの多重解像度符号化データの各周波数成分を画像種別に対応する所定の周波数帯域別で出力するようにする。たとえば、サブバンド符号化であれば帯域分割フィルタにより低周波画像データと高周波画像データに分離する。画像データ一時記憶部１４は、各々を別ファイルとして記録蓄積する（Ｓ１３０）。
【０１１１】
たとえば、多重解像度符号化処理部１２は、原画像データを解像度レベル１の段階まで階層付加化することで、ＬＬ１帯域、ＬＨ１帯域、ＨＬ１帯域、ＨＨ１帯域の４つの符号化データを作成し、その内のＬＬ１帯域の符号化データを低周波画像データファイルとして、また、残りのＬＨ１帯域、ＨＬ１帯域、ＨＨ１帯域の符号化データを纏めて高周波画像データファイルとして出力する。
【０１１２】
画像データ一時記憶部１４は、多重解像度符号化処理部１２から出力された低周波画像データファイルと高周波画像データファイルとを対応付けて、所定の記憶媒体に、スキャンレディの画像データやプリントレディの画像データとして、一旦記憶しておく。
【０１１３】
この後、多重解像度復号化処理部５２は、画像データ一時記憶部１４によって一時記憶された画像データを読み出して、多重解像度符号化処理部１２における多重解像度符号化処理とは逆の多重解像度復号化処理を実行することで原画像を復元し画像データ出力部４４に渡す（Ｓ１４０）。
【０１１４】
画像データ出力部４４は、多重解像度復号化処理部５２から渡された画像データに基づいて画像を出力する（Ｓ１５０）。たとえば、ＣＲＴディスプレイや液晶ディスプレイに表示出力したり、プリンタ装置にて用紙上に印刷出力したり、磁気ディスクやメモリカードなどの記憶媒体にデータ保存したり、ネットワーク９を介してプリントデータやＦＡＸデータとして送信出力したりする。
【０１１５】
一方、画像データ出力部４４による出力処理が完了すると、あるいは、このような画像形成処理と並行して（図中の点線の経路）、ログ画像データ蓄積部３０において、履歴画像データ判定部３２は、多重解像度符号化処理部１２により生成される複数段階の解像度レベルの各周波数帯域成分の符号化データの中から、処理対象画像の概要を認識し得る解像度レベルの所定の周波数帯域成分の符号化データを履歴画像（イメージログ）用として、周波数成分と関わりを持つ画像種別に基づいて選択する（Ｓ１６２）。
【０１１６】
たとえば、履歴画像データ判定部３２は、処理対象画像が自然画像である場合には（Ｓ１６３−Nature）、解像度レベルが低く、かつその中でも低周波側の成分を履歴画像とする（Ｓ１６４）。たとえば、多重解像度符号化処理部１２で生成されるＬＬ１帯域、ＬＨ１帯域、ＨＬ１帯域、ＨＨ１帯域の４つの符号化データの中から、ＬＬ１帯域の符号化データ（低周波画像データファイルでよい）を選択しログ画像符号化データＤILとする。
【０１１７】
また、履歴画像データ判定部３２は、処理対象画像が文字や図形を多く含む画像である場合には（Ｓ１６３−High）、解像度レベルが高く、かつその中でもより高周波側の成分（中間周波数帯域成分や高周波数帯域成分）を履歴画像とする（Ｓ１６８）。たとえば、多重解像度符号化処理部１２で生成されるＬＬ１帯域、ＬＨ１帯域、ＨＬ１帯域、ＨＨ１帯域の４つの符号化データの中から、事実上解像度レベルの高い、たとえば、ＬＨ１帯域、ＨＬ１帯域、およびＨＨ１帯域の符号化データを纏めた高周波画像データファイルを選択してログ画像符号化データＤILとする。
【０１１８】
そして、ログ画像データ蓄積部３０は、画像種に応じて履歴画像データ判定部３２により選択された履歴画像を表わすログ画像符号化データＤILを含む画像ファイルを、ユーザ名、日付などの属性情報と関連付けて入出力履歴として所定の記憶媒体に保存する（Ｓ１７０）。
【０１１９】
なお、本例では、多重解像度符号化処理部１２は、ＬＬ１帯域の符号化データを低周波画像データファイルとして、また、残りのＬＨ１帯域、ＨＬ１帯域、ＨＨ１帯域の符号化データを纏めて高周波画像データファイルとしていたが、この区分けは一例であって、ＬＬ１帯域、ＬＨ１帯域、ＨＬ１帯域、ＨＨ１帯域の別にデータファイルとして出力してもよい。この場合、ログ画像データ蓄積部３０は、処理対象画像が文字や図形を多く含む画像である場合には（Ｓ１６３−High）、たとえば、ＨＨ１帯域の符号化データのみを選択してログ画像符号化データＤILとすることができるし、また、ＬＨ１帯域、ＨＬ１帯域、およびＨＨ１帯域の符号化データの組合せを選択してログ画像符号化データＤILとすることもできる。
【０１２０】
また、多重解像度符号化処理部１２は、ＬＬ１帯域、ＬＨ１帯域、ＨＬ１帯域、ＨＨ１帯域を纏めて１つのデータファイルとして出力してもよい。この場合、ログ画像データ蓄積部３０は、その１つのデータファイルから処理対象画像の種別に応じた帯域成分を分離してログ画像符号化データＤILとする。多重解像度符号化処理部１２が予め帯域別に出力している場合に比べて、１つのデータファイルから所望の周波数成分を分離する手間が掛かるが、ログ画像データ蓄積部３０は、何ら問題なく、画像種別に応じた所望の成分をイメージログ用として保存することができる。
【０１２１】
たとえば、処理対象画像が自然画像である場合には（Ｓ１６３−Nature）、その１つのデータファイルからＬＬ１帯域の成分を分離してログ画像符号化データＤILとするし、また、処理対象画像が文字や図形を多く含む画像である場合には（Ｓ１６３−High）、その１つのデータファイルから、たとえばＨＨ１帯域の成分のみ、または、ＬＨ１帯域、ＨＬ１帯域、およびＨＨ１帯域の３つの成分を分離し選択してログ画像符号化データＤILとする。
【０１２２】
＜＜第２実施形態＞＞
＜画像形成装置の構成例＞
図１１は、画像管理装置を具備してなる画像形成装置３の第２実施形態の構成例を示す機能ブロック図である。
【０１２３】
第２実施形態の画像管理装置７は、画像形成装置３での画像処理過程で画像データを一時記憶するための符号化手段として利用される多重解像度符号化処理で生成される複数段階の解像度レベルの情報、つまり「多重解像度」表現の画像情報のうち、所定の解像度レベルの情報を段階的に無効にしていく点に特徴を有する。
【０１２４】
なお「所定の解像度レベルの情報を段階的に無効にしていく」とは、所定の解像度レベルの情報の所定の波長成分のデータを無意味なデータにすることで、事実上、ユーザが有効なデータとして使用し得ないようにすることを意味し、その限りにおいて様々な手法を採ることができる。たとえば、データ削除（一律のデータ０にする）や無効データの上書きなどを採用できる。無効データとしては、全てを一律のデータ１とすることや、その他の任意の無意味なデータがあり、中でも、一律のデータ１とするのが簡単な手法である。
【０１２５】
第２実施形態の画像形成装置３は、第１実施形態の構成に加えて、画像データの入出力処理のために画像データ一時記憶部１４に一時保存していた符号化データを無効にするデータ無効化部７０を備えている。
【０１２６】
第２実施形態の画像形成装置３においては、ログ画像データ蓄積部３０と、多重解像度変換処理部６０とデータ無効化部７０とにより、画像管理装置７が構成されるようになっている。
【０１２７】
なお、この第２実施形態は、一時保存データの削除機能に特徴があるものであり、イメージログ保存機能に特徴を持つ第１実施形態のログ画像データ蓄積部３０を備えていることは必須ではない。たとえば、ログ画像データ蓄積部３０を取り外して、多重解像度変換処理部６０とデータ無効化部７０とにより画像管理装置７が構成されるようにすることができる。
【０１２８】
第２実施形態のデータ無効化部７０は、多重解像度符号化処理部１２により生成され画像データ一時記憶部１４に保存された複数段階の解像度レベルの情報の何れかを選択して無効にする点に大きな特徴を有する。
【０１２９】
たとえば、データ無効化部７０は、複数段階の解像度レベルの情報（つまり符号化データ）の各周波数成分のうち、処理対象画像の概要を認識し得る解像度レベルの情報が何れのものであるかを、処理対象画像の周波数成分と関わりを持つ画像種別に基づいて判定する無効化画像データ判定部７２を有している。
【０１３０】
たとえば、第１実施形態において履歴画像データ判定部３２について説明したと同様に、一般的な画像種の傾向として、自然画像であれば比較的低周波の成分の情報量が多く、その情報が主要な情報となると予想される。また、文字や図形を多く含む画像であれば、エッジに重要な情報が現われるので、比較的高周波の成分や、低周波と高周波の間の中間周波数の成分の情報量が多く、その情報が主要な情報となると予想される。
【０１３１】
また、これら情報量が多い成分を持つ解像度レベルのものから処理対象画像の概要を認識することができる。したがって、このような情報量が多い成分を持つ解像度レベルのものを優先的に無効にする、つまり、処理対象画像の概要を認識し得る度合いが強いものを優先的に無効にすることで、効率的かつ確実な無効化処理を実現できると考えられる。
【０１３２】
そこで、無効化画像データ判定部７２は、多重解像度符号化処理部１２により生成された複数段階の解像度レベルの情報のうち、最も情報量の多い画像データあるいは所定の情報量よりも多い画像データを含む解像度レベルのものを、優先して無効にすべきものとして選択する。データ無効化部７０は、これを、無効化符号化データＤdel として最初に削除し、または無効なデータを上書きする。
【０１３３】
また、データ無効化部７０は、必要に応じて、他の処理に影響を与えない空き時間を利用して、残りの解像度レベルの情報についても、同様にして、処理対象画像の概要を認識し得る度合いが強いものから順に無効にしていく。
【０１３４】
＜処理手順＞
図１２は、第２実施形態の画像形成装置３における画像管理処理手順の一例を示すフローチャートである。
【０１３５】
画像取得部１０は、たとえば、スキャナ装置や、磁気ディスクやメモリカードなどの画像データ記憶媒体や、ネットワーク９などを利用して、画像形成処理の対象とする入力画像を取り込み多重解像度符号化処理部１２に渡す（Ｓ２１０）。
【０１３６】
たとえば、画像形成装置３において、複写機能を実現する際には、画像取得部１０は原稿を読み取ることで画像データを取得する。また、画像形成装置３において、印刷機能を実現する際には、画像取得部１０は、パーソナルコンピュータなどで所定のアプリケーションソフトウェアで作成され印刷指示された印刷ファイルに基づいてビットマップ画像に描画展開して画像データを取得する。
【０１３７】
多重解像度符号化処理部１２は、多重解像度符号化処理を実行して、各解像度レベルの符号化データを生成する（Ｓ２２０）。たとえば、多重解像度符号化処理部１２は、サブバンド符号化であれば帯域分割フィルタにより低周波画像データと中間周波画像データと高周波画像データに分離する。画像データ一時記憶部１４は、各々を別ファイルとして記録蓄積する（Ｓ２３０）。
【０１３８】
たとえば、多重解像度符号化処理部１２は、原画像データを解像度レベル２の段階まで階層付加化することで、ＬＬ２帯域、ＬＨ２帯域、ＨＬ２帯域、ＨＨ２帯域、ＬＨ１帯域、ＨＬ１帯域、ＨＨ１帯域の７つの符号化データを作成し、その内のＬＬ２帯域の符号化データを低周波画像データファイルとして、また、ＬＨ２帯域、ＨＬ２帯域、およびＨＨ２帯域の符号化データを纏めて中間周波画像データファイルとして、残りのＬＨ１帯域、ＨＬ１帯域、ＨＨ１帯域の符号化データを纏めて高周波画像データファイルとして出力する。
【０１３９】
画像データ一時記憶部１４は、多重解像度符号化処理部１２から出力された低周波画像データファイルと中間周波画像データファイルと高周波画像データファイルとを対応付けて、所定の記憶媒体に、スキャンレディの画像データやプリントレディの画像データとして、一旦記憶しておく。
【０１４０】
この後、多重解像度復号化処理部５２は、画像データ一時記憶部１４によって一時記憶された画像データを読み出して、多重解像度符号化処理部１２における多重解像度符号化処理とは逆の多重解像度復号化処理を実行することで原画像を復元し画像データ出力部４４に渡す（Ｓ２４０）。
【０１４１】
画像データ出力部４４は、多重解像度復号化処理部５２から渡された画像データに基づいて画像を出力する（Ｓ２５０）。たとえば、ＣＲＴディスプレイや液晶ディスプレイに表示出力したり、プリンタ装置にて用紙上に印刷出力したり、磁気ディスクやメモリカードなどの記憶媒体にデータ保存したり、ネットワーク９を介してプリントデータやＦＡＸデータとして送信出力したりする。
【０１４２】
この後、画像データ出力部４４による出力処理が完了して、画像データ一時記憶部１４に一時保存しておいたデータが不要になったときや、同様の画像データを複数管理・蓄積することによる無駄を省くためや、不正持出しを禁止使用としてセキュリティ上のリスクの増加を防止するなど、一時保存データを無効にする必要があるときには（Ｓ２６０−ＹＥＳ）、データ無効化部７０は、先ず、データ格納場所を示すファイルパスやディレクトリ（Directory）などの管理情報を削除し、または無効データを上書きすることで、無効にする（Ｓ２６１）。
【０１４３】
ただし、この状態のままでは、管理情報のみが無効にされただけであり、低周波画像データファイル、中間周波画像データファイル、および高周波画像データファイルといった実データファイルは、依然として記憶媒体に残っている。したがって、高度なファイルアクセスの知識を持つ者によって不正な持出しがなされる懸念が残る。このため、データ無効化部７０は、管理情報のみを無効にするだけでなく、実データファイルについても無効にする。
【０１４４】
この際、先ず無効化画像データ判定部７２は、多重解像度符号化処理部１２により生成され画像データ一時記憶部１４に保存された複数段階の解像度レベルの各周波数帯域成分の符号化データの中から、処理対象画像の概要を認識し得る解像度レベルの所定の周波数帯域成分の符号化データを無効化対象の成分として、周波数成分と関わりを持つ画像種別に基づいて選択する（Ｓ２６２）。
【０１４５】
たとえば、無効化画像データ判定部７２は、処理対象画像が自然画像である場合には（Ｓ２６３−Nature）、解像度レベルが低く、かつその中でも低周波側の成分を無効にする（Ｓ２６４）。たとえば、多重解像度符号化処理部１２で生成されるＬＬ２帯域、ＬＨ２帯域、ＨＬ２帯域、ＨＨ２帯域、ＬＨ１帯域、ＨＬ１帯域、およびＨＨ１帯域の７つの符号化データの中から、ＬＬ帯域の符号化データ（つまり低周波画像データファイル）を選択する。データ無効化部７０は、これを優先順位が最も高い無効化符号化データＤdel として、削除または無効データを上書きすることで無効にする。
【０１４６】
また、無効化画像データ判定部７２は、処理対象画像が文字や図形を多く含む画像である場合において中間周波帯域の成分が多い場合には（Ｓ２６３−Middle）、解像度レベルが中間レベルで、かつその中でも中間周波帯域の成分を無効にする（Ｓ２６６）。たとえば、多重解像度符号化処理部１２で生成されるＬＬ２帯域、ＬＨ２帯域、ＨＬ２帯域、ＨＨ２帯域、ＬＨ１帯域、ＨＬ１帯域、およびＨＨ１帯域の７つの符号化データの中から、ＬＨ２帯域、ＨＬ２帯域、およびＨＨ２帯域の符号化データを纏めた中間周波画像データファイルを選択する。データ無効化部７０は、これを優先順位が最も高い無効化符号化データＤdel として、削除または無効データを上書きすることで無効にする。
【０１４７】
また、無効化画像データ判定部７２は、処理対象画像が文字や図形を多く含む画像である場合において高周波帯域の成分が多い場合には（Ｓ２６３−High）、解像度レベルが高く、かつその中でもより高周波側の成分（高周波数帯域成分）を無効にする（Ｓ２６８）。たとえば、多重解像度符号化処理部１２で生成されるＬＬ２帯域、ＬＨ２帯域、ＨＬ２帯域、ＨＨ２帯域、ＬＨ１帯域、ＨＬ１帯域、およびＨＨ１帯域の７つの符号化データの中から、ＬＨ１帯域、ＨＬ１帯域、およびＨＨ１帯域の符号化データを纏めた高周波画像データファイルを選択する。データ無効化部７０は、これを優先順位が最も高い無効化符号化データＤdel として、削除または無効データを上書きすることで無効にする。
【０１４８】
画像データの入出力処理のための画像データを無効にする際、画像データの主要な情報を含んだ成分を削除するまたは無効データを上書きすることで、最低限の追加負荷で、万一、画像データ一時記憶部１４が外部に流出しても、一時記憶蓄積されていた画像データから、画像の概要が認識されてしまう可能性が低くなる。
【０１４９】
このようにして、管理情報を無効にするとともに、情報量が多い成分を持つ解像度レベルのものを優先的に無効にした後には、データ無効化部７０は、その他の帯域の符号化データについては、必要に応じて（Ｓ２７０−ＹＥＳ）、無効にしていくとよい（Ｓ２７２）。
【０１５０】
たとえば、管理情報のみを無効にする、あるいは、前述と同様にして、情報量が多い成分を持つ解像度レベルのものに着目した優先順位を付けて、他の処理が行なわれていないアイドル状態になったら、順次、削除または無効データを上書きすることで無効にしていくとよい（Ｓ２７２）。
【０１５１】
なお、本例では、多重解像度符号化処理部１２は、ＬＬ２帯域の符号化データを低周波画像データファイルとして、また、ＬＨ２帯域、ＨＬ２帯域、およびＨＨ２帯域の符号化データを纏めて中間周波画像データファイルとして、残りのＬＨ１帯域、ＨＬ１帯域、ＨＨ１帯域の符号化データを纏めて高周波画像データファイルとしていたが、この区分けは一例であって、ＬＬ２帯域、ＬＨ２帯域、ＨＬ２帯域、ＨＨ２帯域、ＬＨ１帯域、ＨＬ１帯域、ＨＨ１帯域の別にデータファイルとして出力してもよい。
【０１５２】
この場合、データ無効化部７０は、処理対象画像が文字や図形を多く含む画像である場合において中間周波帯域の成分が多い場合には（Ｓ２６３−Middle）、たとえば、ＨＨ２帯域の符号化データのみを選択して優先的に無効にすることができるし、また、ＬＨ２帯域、ＨＬ２帯域、およびＨＨ２帯域の符号化データの組合せを選択して優先的に無効にすることもできる。
【０１５３】
また、データ無効化部７０は、処理対象画像が文字や図形を多く含む画像である場合において高周波帯域の成分が多い場合には（Ｓ２６３−High）、たとえば、ＨＨ１帯域の符号化データのみを選択して優先的に無効にすることができるし、また、ＬＨ１帯域、ＨＬ１帯域、およびＨＨ１帯域の符号化データの組合せを選択して優先的に無効にすることもできる。
【０１５４】
また、多重解像度符号化処理部１２は、ＬＬ２帯域、ＬＨ２帯域、ＨＬ２帯域、ＨＨ２帯域、ＬＨ１帯域、ＨＬ１帯域、ＨＨ１帯域を纏めて１つのデータファイルとして出力してもよい。この場合、データ無効化部７０は、その１つのデータファイルから処理対象画像の種別に応じた帯域成分を分離して優先的に無効にする。多重解像度符号化処理部１２が予め帯域別に出力している場合に比べて、１つのデータファイルから所望の周波数成分を分離する手間が掛かるが、データ無効化部７０は、何ら問題なく、画像種別に応じた所望の成分を優先的に無効にすることができる。
【０１５５】
＜電子計算機による構成例＞
図１３は、画像形成装置３や画像管理装置７の他の構成例を示す機能ブロック図である。ここで示す画像形成装置３や画像管理装置７は、各種の機能部の一部を、ハードウェア処理回路により構成することに限らず、その機能を実現するプログラムコードに基づき電子計算機（コンピュータ）と同様の仕組みを用いてソフトウェア的に実現することが可能なコンピュータシステムで構成されている。
【０１５６】
ソフトウェアにより所定の処理（特に本実施形態では画像管理処理）を実行させる仕組みとすることで、ハードウェア処理回路で構成される各機能要素の一部を取り外した構成にすることができ、またハードウェアの変更を伴うことなく、処理手順などを容易に変更できる利点を享受できるようになる。
【０１５７】
これに対して、ハードウェア処理回路で行なうことで、高速化を図ったアクセラレータシステムを構築することができるようになる。アクセラレータシステムは、処理が複雑であっても、処理速度の低下を防ぐことができ、高いスループットを得ることができる。
【０１５８】
電子計算機と同様の仕組みで、画像管理処理機能をソフトウェアにより実行する場合には、そのソフトウェアを構成するプログラムが、専用のハードウェアに組み込まれているコンピュータ（組込マイコンなど）、あるいは、ＣＰＵ（Central Processing Unit ）、論理回路、読出専用の記憶部であるＲＯＭ（Read Only Memory）、随時書込みおよび読出しが可能であるとともに揮発性の記憶部の一例であるＲＡＭ（Random Access Memory）、あるいは不揮発性の記憶部の一例であるＲＡＭ（ＮＶＲＡＭと記述する）を始めとする記憶装置などの機能を１つのチップ上に搭載して所望のシステムを実現するＳＯＣ（System On a Chip：システムオンチップ）、または、各種のプログラムをインストールすることで各種の機能を実行することが可能な構成で、記録媒体からインストールされる。
【０１５９】
記録媒体は、コンピュータのハードウェア資源に備えられている読取装置に対して、プログラムの記述内容に応じて、磁気、光、電気などのエネルギの状態変化を引き起こして、それに対応する信号の形式で、読取装置にプログラムの記述内容を伝達できるものである。
【０１６０】
たとえば、コンピュータとは別に、ユーザにプログラムを提供するために配布される、プログラムが記録されている磁気ディスク（フレキシブルディスクＦＤを含む）、光ディスク（ＣＤ−ＲＯＭ（Compact Disc-Read Only Memory ）、ＤＶＤ（Digital Versatile Disc）を含む）、光磁気ディスク（ＭＤ（Mini Disc ）を含む）、または半導体メモリなどよりなるパッケージメディア（可搬型の記憶媒体）により構成されるだけでなく、コンピュータに予め組み込まれた状態でユーザに提供される、プログラムが記録されているＲＯＭやハードディスクなどで構成されてもよい。
【０１６１】
また、ソフトウェアを構成するプログラムは、記録媒体を用いずに、記録媒体を介して提供されることに限らず、有線あるいは無線などの通信網を介して提供されてもよい。
【０１６２】
たとえば、画像管理処理機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出し実行することによっても、ハードウェア処理回路にて構成する場合と同様の効果は達成される。この場合、記憶媒体から読み出されたプログラムコード自体が画像管理処理機能を実現する。
【０１６３】
また、コンピュータが読み出したプログラムコードを実行することで画像管理処理機能が実現されるだけでなく、プログラムコードの指示に基づき、コンピュータ上で稼働しているＯＳ（Operating Systems ；基本ソフト）などが実際の処理の一部または全部を行ない、その処理により画像管理処理機能が実現される場合であってもよい。
【０１６４】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行ない、その処理によって画像管理処理機能が実現される場合であってもよい。
【０１６５】
なお、画像管理処理機能を実現するプログラムコードを記述したファイルとしてプログラムが提供されるが、この場合、一括のプログラムファイルとして提供されることに限らず、コンピュータで構成されるシステムのハードウェア構成に応じて、個別のプログラムモジュールとして提供されてもよい。
【０１６６】
たとえば、コンピュータシステムとして構成される画像管理装置７は、装置全体の動作を制御するシステム制御部１０２を備える。特に、本実施形態においては、システム制御部１０２は、画像管理機能の中枢部をなす。
【０１６７】
具体的には、システム制御部１０２は、コントローラ部（制御部）１０４と、図示したハードディスク装置（ＨＤＤ）１１８や、図示を割愛した、フレキシブルディスク（ＦＤ）ドライブ、ＣＤ−ＲＯＭ（Compact Disk ROM）ドライブ、半導体メモリコントローラなどの、所定の記憶媒体からデータを読み出したり記録したりするための記録・読取制御部１０６とを有する。
【０１６８】
コントローラ部１０４は、ＣＰＵ１１２、読出専用の記憶部であるＲＯＭ１１３、随時書込みおよび読出しが可能であるとともに揮発性の記憶部の一例であるＲＡＭ１１５、および不揮発性の記憶部の一例であるＲＡＭ（ＮＶＲＡＭと記述する）１１６を有する。
【０１６９】
なお、上記において“揮発性の記憶部”とは、装置の電源がオフされた場合には、記憶内容を消滅してしまう形態の記憶部を意味する。一方、“不揮発性の記憶部”とは、装置のメイン電源がオフされた場合でも、記憶内容を保持し続ける形態の記憶部を意味する。記憶内容を保持し続けることができるものであればよく、半導体製のメモリ素子自体が不揮発性を有するものに限らず、バックアップ電源を備えることで、揮発性のメモリ素子を“不揮発性”を呈するように構成するものであってもよい。
【０１７０】
また、半導体製のメモリ素子により構成することに限らず、磁気ディスクや光ディスクなどの媒体を利用して構成してもよい。たとえば、ハードディスク装置１１８を不揮発性の記憶部として利用できる。また、ＣＤ−ＲＯＭなどの記録媒体から情報を読み出す構成を採ることでも不揮発性の記憶部として利用できる。
【０１７１】
また、コンピュータシステムと同様の仕組みで構成された画像管理装置７は、装置の操作指示を受け付けるなどのユーザインタフェースをなす機能部としての指示受付部１５２と、操作時のガイダンス画面（操作メニュー）や装置の動作状態や処理結果などの所定の情報をユーザに提示する表示出力部１５４と、各機能部との間のインタフェース機能をなすインタフェース部（ＩＦ部）１９０とを有する。
【０１７２】
インタフェース部１９０としては、処理データ（画像データを含む）や制御データの転送経路であるシステムバス１９１の他、たとえば、操作パネル部１９２ａおよび操作キー部１９２ｂを具備したユーザインタフェース部１９２や、プロトコル制御を実行しネットワークとのインタフェース機能をなす通信インタフェース部１９４や、その他の外部デバイスとのインタフェース機能をなすデバイスインタフェース部を有する。
【０１７３】
通信インタフェース部１９４は、ネットワークや公衆回線網を制御するネットワークコントローラやモデムなどの通信制御機能を持つ。デバイスインタフェース部は、各種のデバイス装置をコントロールする。
【０１７４】
指示受付部１５２としては、たとえば、ユーザインタフェース部１９２の操作キー部１９２ｂを利用することができる。あるいは、キーボード１５２ａやマウス１５２ｂなどを利用することもできる。
【０１７５】
ユーザインタフェース部１９２やキーボード１５２ａやマウス１５２ｂは、図示を割愛するが、キーボード１５２ａからのキー入力およびマウス１５２ｂといったポインティングデバイスからの入力を制御するそれぞれに応じたデバイスインタフェース部を介してシステムバス１９１に接続される。
【０１７６】
表示出力部１５４は、表示制御部と表示装置とを備える。表示装置としては、たとえば、ユーザインタフェース部１９２の操作パネル部１９２ａを利用することができる。あるいは、ＣＲＴ（Cathode Ray Tube；陰極線管）やＬＣＤ（Liquid Crystal Display；液晶）などでなるその他のディスプレイ部１５４ａを利用することもできる。
【０１７７】
たとえば、表示制御部が、操作パネル部１９２ａやディスプレイ部１５４ａ上に、ガイダンス情報や履歴画像やその他の情報などを表示させる。また、各種の情報を操作者に通知する際の表示デバイスとしても利用される。なお、表示面上にタッチパネルを有するディスプレイ部１５４ａとすることで指先やペンなどで所定の情報を入力する指示受付部１５２を構成することもできる。
【０１７８】
このような構成において、ＣＰＵ１１２は、システムバス１９１を介してシステム全体の制御を行なう。ＲＯＭ１１３は、ＣＰＵ１１２が使用する制御プログラムを含む各種固定データを格納する。ＲＡＭ１１５は、ＳＲＡＭ（Static Random Access Memory ）などで構成され、プログラム制御変数や各種処理のためのデータなどを格納し、また、所定のアプリケーションプログラムに従って演算して得たデータや外部から取得したデータなどを一時的に格納する領域を含んでおり、ＣＰＵ１１２がデータ処理などを行なう際に、ワークメモリなどの用途に使用される。
【０１７９】
ＮＶＲＡＭ１１６は、制御パラメータや処理されたデータなどを記憶しておくものであり、装置への電源供給が停止された場合でも、記憶情報が消失することのないように、バックアップされる。
【０１８０】
たとえば、画像管理処理機能をコンピュータに実行させるプログラムは、ＣＤ−ＲＯＭなどの記録媒体を通じて配布される。あるいは、このプログラムは、ＣＤ−ＲＯＭではなくＦＤに格納されてもよい。また、ＭＯドライブを設け、ＭＯに前記プログラムを格納してもよく、またフラッシュメモリなどの不揮発性の半導体メモリカードなど、その他の記録媒体にプログラムを格納してもよい。さらに、他のサーバなどからインターネットなどのネットワークを経由してプログラムをダウンロードして取得したり、あるいは更新したりしてもよい。
【０１８１】
なおプログラムを提供するための記録媒体としては、ＦＤやＣＤ−ＲＯＭなどの他にも、ＤＶＤなどの光学記録媒体、ＭＤなどの磁気記録媒体、ＰＤなどの光磁気記録媒体、テープ媒体、磁気記録媒体、ＩＣカードやミニチュアカードなどの半導体メモリを用いることができる。記録媒体の一例としてのＦＤやＣＤ−ＲＯＭなどには、画像管理処理機能を実現する際の、一部または全ての機能を格納することができる。
【０１８２】
また、ハードディスク装置１１８や光／磁気ファイルなどの記憶装置は、プログラムや各種のアプリケーション、フォントデータやユーザファイルといったユーザデータや制御管理データを保持したり、自装置で取得したデータや外部から取得したデータなどを大量に一時的に格納したりする領域を含んでおり、入出力インタフェース機能をなす記録・読取制御部１０６によりデータの読出しや書込みが制御される。
【０１８３】
このような構成により、所定の指令にて、画像管理処理機能を実行するプログラムが記憶されているＣＤ−ＲＯＭなどの読取可能な記録媒体からＲＡＭ１１５に画像管理処理プログラムがインストールされ、また指示受付部１５２を介した操作者による指令や可搬性記憶媒体９が装着ポート１９９に装着されたことを契機とする自動処理にて画像管理処理プログラムが起動される。
【０１８４】
これにより、コントローラ部１０４は、たとえば、前述の履歴画像データ判定部３２や無効化画像データ判定部７２の機能をソフトウェアで実行するように構成される。
【０１８５】
ＣＰＵ１１２は、画像管理処理プログラムに従って前述の画像管理処理方法に伴う処理を施し、処理結果をＲＡＭ１１５やハードディスク装置１１８などの記憶装置に格納し、必要により操作パネル部、あるいはＣＲＴやＬＣＤなどの表示装置に情報提示出力する。画像管理処理方法を実行するプログラムが記録した記録媒体を用いることにより、既存のシステムを変えることなく、画像管理処理システムを汎用的に構築することができる。
【０１８６】
なお、このようなコンピュータを用いた構成に限らず、各機能部の処理をなす専用のハードウェアの組合せにより、画像管理処理機能を実行することを可能とする画像管理装置７を構成することもできる。
【０１８７】
なお、コンピュータシステムを構築する際には、画像管理装置７をなす前述の各機能部の他にも、他の装置機能に応じた特有の機能部も設けられる。一例として、印刷出力機能や複写機能などを備えた画像形成装置３としてコンピュータシステムを構築する場合であれば、画像データの圧縮伸張処理や加工などの処理を実行する画像処理部１８０や、原稿画像を読み取る画像読取部１８２や、画像情報を印刷出力してユーザに提示する構成とするべく、画像読取部１８２が読み取った画像や通信インタフェース部１９４を介して取得した印刷データなどに基づき、所定の出力媒体８（たとえば印刷用紙）に画像を出力する前述の画像データ出力部４４に対応する画像記録部（画像形成部）１８４を設けることもできる。
【０１８８】
たとえば、画像処理部１８０には、圧縮伸張処理の機能部分として、前述の多重解像度変換処理部６０（多重解像度符号化処理部１２や多重解像度復号化処理部５２）が設けられる。
【０１８９】
画像読取部１８２や画像記録部１８４は、インタフェース部１９０をなすデバイスインタフェース部としてのスキャナインタフェース部１９６やプリンタインタフェース部１９７を介してシステムバス１９１に接続される。
【０１９０】
なお、これらの他にも、たとえば、音声情報を発するオーディオデバイス１８８が、音声信号の入出力を制御するオーディオインタフェース部１９８を介してシステムバス１９１に接続される。
【図面の簡単な説明】
【０１９１】
【図１】画像情報処理システムの全体概要を示す図である。
【図２】画像管理装置を具備してなる画像形成装置の第１実施形態の構成例を示す機能ブロック図である。
【図３】多重解像度処理の第１例を実施する多重解像度符号化処理部の詳細構成例を示す機能ブロック図である。
【図４】各ウェーブレット部の詳細構成例を示した機能ブロック図である。
【図５】原画像信号（解像度レベル０とする）をウェーブレット変換して各周波数成分に分解した結果を示す図である。
【図６】多重解像度処理の第１例を実施する多重解像度復号化処理部の詳細構成例を示す機能ブロック図である。
【図７】各逆ウェーブレット変換部の詳細構成例を示した機能ブロック図である。
【図８】第２例の多重解像度処理において取り扱う画像の切出し手法を説明する図である。
【図９】第２例の多重解像度処理において取り扱う最小ブロックサイズを説明する図である。
【図１０】第１実施形態の画像形成装置における画像管理処理手順の一例を示すフローチャートである。
【図１１】画像管理装置を具備してなる画像形成装置の第２実施形態の構成例を示す機能ブロック図である。
【図１２】第２実施形態の画像形成装置における画像管理処理手順の一例を示すフローチャートである。
【図１３】画像形成装置や画像管理装置を、電子計算機を用いて構成する例を示す機能ブロック図である。
【符号の説明】
【０１９２】
１…画像情報処理システム１、３…画像形成装置（画像処置装置）、５…画像管理サーバ、ＤＢ…データベース、７…画像管理装置、８…出力媒体、９…ネットワーク、１０…画像取得部、１２…多重解像度符号化処理部、１２ａ…ウェーブレット変換部、１４…画像データ一時記憶部、３０…ログ画像データ蓄積部、３２…履歴画像データ判定部、４４…画像データ出力部、５２…多重解像度復号化処理部、５２ａ…逆ウェーブレット変換部、６０…多重解像度変換処理部、７０…データ無効化部、７２…無効化画像データ判定部
【図１】
2008017393.tif 000005
【図２】
2008017393.tif 000006
【図３】
2008017393.tif 000007
【図４】
2008017393.tif 000008
【図５】
2008017393.tif 000009
【図６】
2008017393.tif 000010
【図７】
2008017393.tif 000011
【図８】
2008017393.tif 000012
【図９】
2008017393.tif 000013
【図１０】
2008017393.tif 000014
【図１１】
2008017393.tif 000015
【図１２】
2008017393.tif 000016
【図１３】
2008017393.tif 000017